(57)【要約】【課題】容易にユーザの好みに合った機能設定を行うことができる。【解決手段】テレビジョン受像機１は、ユーザの声を検出して声情報を検出し、検出した声情報と最も類似する声情報を予め声情報データベースに様々な特徴ごとに登録されている声情報から検索し、当該検索の結果得られた声情報に対応する特徴を当該ユーザの特徴であるとして判別し、予め設定値データベースに様々な特徴ごとに登録されている当該特徴を有するユーザの好みに合った画質設定の設定値に基づいて、判別した特徴を有するユーザの好みに合った画質設定の設定値を決定し、決定した設定値に基づいて画質設定を行うようにしたことにより、予め声を登録して画質設定の設定値を指定しておくというような煩雑な作業をユーザに行わせることなく、容易にユーザの好みに合った画質設定を行うことができる。【選択図】図６
2010124391.tif 000002
【特許請求の範囲】
【請求項１】
ユーザからユーザの特徴を判別する為の特徴判別情報を検出する特徴判別情報検出部と、
上記特徴判別情報検出部により検出された特徴判別情報と最も類似する特徴判別情報を、予め所定の記憶部に様々な上記特徴ごとに記憶されている特徴判別情報から検索し、当該検索の結果得られた特徴判別情報に対応する特徴を上記ユーザの特徴であると判別する特徴判別部と、
予め所定の記憶部に記憶されている様々な上記特徴と当該特徴を有するユーザの好みに合った機能設定の設定値との関係を表す特徴別設定値情報に基づいて、上記特徴判別部により判別された上記特徴を有するユーザの好みに合った機能設定の設定値を決定する設定値決定部と、
上記設定値決定部により決定された上記設定値に基づいて上記機能設定を行う機能設定部と
を具える情報処理装置。
【請求項２】
上記特徴判別情報検出部は、
上記特徴判別情報として上記ユーザから発せられた声を検出する
請求項１に記載の情報処理装置。
【請求項３】
上記特徴判別情報検出部により検出された上記ユーザの声を命令に変換し、当該命令に応じて各部を制御する制御部
を具える請求項２に記載の情報処理装置。
【請求項４】
上記特徴別設定値情報は、
様々な上記特徴を有するユーザによって指定された機能設定の設定値を統計して得られた情報である
請求項１に記載の情報処理装置。
【請求項５】
上記特徴は、
年齢及び性別である
請求項１に記載の情報処理装置。
【請求項６】
上記機能設定は、
表示部に表示させる映像の画質設定である
請求項１に記載の情報処理装置。
【請求項７】
ユーザからユーザの特徴を判別する為の特徴判別情報を特徴判別情報検出部が検出し、
上記特徴判別情報検出部により検出された特徴判別情報と最も類似する特徴判別情報を、予め所定の記憶部に様々な上記特徴ごとに記憶されている特徴判別情報から検索し、当該検索の結果得られた特徴判別情報に対応する特徴を上記ユーザの特徴であると特徴判別部が判別し、
予め所定の記憶部に記憶されている様々な上記特徴と当該特徴を有するユーザの好みに合った機能設定の設定値との関係を表す特徴別設定値情報に基づいて、上記特徴判別部により判別された上記特徴を有するユーザの好みに合った機能設定の設定値を設定値決定部が決定し、
上記設定値決定部により決定された上記設定値に基づいて上記機能設定を機能設定部が行う
機能設定方法。
【請求項８】
コンピュータに、
ユーザからユーザの特徴を判別する為の特徴判別情報を特徴判別情報検出部が検出するステップと、
上記特徴判別情報検出部により検出された特徴判別情報と最も類似する特徴判別情報を、予め所定の記憶部に様々な上記特徴ごとに記憶されている特徴判別情報から検索し、当該検索の結果得られた特徴判別情報に対応する特徴を上記ユーザの特徴であると特徴判別部が判別するステップと、
予め所定の記憶部に記憶されている様々な上記特徴と当該特徴を有するユーザの好みに合った機能設定の設定値との関係を表す特徴別設定値情報に基づいて、上記特徴判別部により判別された上記特徴を有するユーザの好みに合った機能設定の設定値を設定値決定部が決定するステップと、
上記設定値決定部により決定された上記設定値に基づいて上記機能設定を機能設定部が行うステップと
実行させるための機能設定プログラム。
【発明の詳細な説明】
【技術分野】
【０００１】
本発明は、情報処理装置、機能設定方法及び機能設定プログラムに関し、例えば、情報処理装置の種々の機能設定を行う際に適用して好適なものである。
【背景技術】
【０００２】
従来、テレビジョン受像機等の装置は、ユーザによってリモートコントローラが操作されることによりリモートコントローラから送信される命令に応じて制御されるようになっていた。しかし、近年、このようなリモートコントローラから送信される命令によらずに制御される装置も増えてきた。
【０００３】
例えば、ユーザが発した声を検出し、その声を解析して装置に対する命令に変換し、その命令に応じて制御されるような装置が提案されている。
【０００４】
また、このような装置において、ユーザの声を検出すると、その声を解析してユーザを特定し、そのユーザによって予め指定された機能設定（例えば、画質設定や音質設定等）の設定値に基づいて、機能設定を行うような装置も提案されている（例えば、特許文献１参照）。
【特許文献１】特開２００７−３１２０５５公報
【発明の開示】
【発明が解決しようとする課題】
【０００５】
ところで、上述した装置は、ユーザの声を検出するとその声を解析し、その解析の結果得られたパターンをユーザによって予め装置に登録されたユーザの声のパターンと照合することにより、声を発したユーザを特定する。そして、上述した装置は、特定されたユーザによって予め指定された機能設定の設定値を読み出し、その設定値に基づいて機能設定を行うようになされている。
【０００６】
したがって、上述した装置において、ユーザの好みに合った機能設定を行うためには、予め声を登録して機能設定の設定値を指定しておくというような煩雑な作業をユーザに行わせなければならない。
【０００７】
ゆえに、上述した装置では、容易に、ユーザの好みに合った機能設定を行うことができなかった。
【０００８】
本発明は以上の点を考慮してなされたもので、容易に、ユーザの好みに合った機能設定を行うことができる情報処理装置、機能設定方法及び機能設定プログラムを提案しようとするものである。
【課題を解決するための手段】
【０００９】
かかる課題を解決するため本発明の情報処理装置においては、ユーザからユーザの特徴を判別する為の特徴判別情報を検出する特徴判別情報検出部と、特徴判別情報検出部により検出された特徴判別情報と最も類似する特徴判別情報を、予め所定の記憶部に様々な特徴ごとに記憶されている特徴判別情報から検索し、当該検索の結果得られた特徴判別情報に対応する特徴をユーザの特徴であると判別する特徴判別部と、予め所定の記憶部に記憶されている様々な特徴と当該特徴を有するユーザの好みに合った機能設定の設定値との関係を表す特徴別設定値情報に基づいて特徴判別部により判別された特徴を有するユーザの好みに合った機能設定の設定値を決定する設定値決定部と、設定値決定部により決定された設定値に基づいて機能設定を行う機能設定部とを設けるようにした。
【００１０】
こうすることにより、本発明は、予め声を登録して機能設定の設定値を指定しておくというような煩雑な作業をユーザに行わせることなく、ユーザの好みに合った機能設定を行うことができる。
【発明の効果】
【００１１】
本発明によれば、予め声を登録して機能設定の設定値を指定しておくというような煩雑な作業をユーザに行わせることなく、ユーザの好みに合った機能設定を行うことができ、かくして、容易に、ユーザの好みに合った機能設定を行うことができる情報処理装置、機能設定方法及び機能設定プログラムを実現することができる。
【発明を実施するための最良の形態】
【００１２】
以下、図面について、本発明の実施の形態を詳述する。なお、説明は以下の順序で行う。
１．実施の形態
２．他の実施の形態
【００１３】
＜１．実施の形態＞
［１−１．テレビジョン受像機の内部構成］
図１は、テレビジョン受像機１の内部構成を示している。このテレビジョン受像機１では、マイクロコンピュータ（これをマイコンとも呼ぶ）２がマイコン２内の内蔵メモリ（図示せず）に記憶されているプログラムに従って各種処理を実行し、各部の動作を制御するようになされている。
【００１４】
また、このテレビジョン受像機１は、ユーザが発した声を検出し、その声を解析してテレビジョン受像機１に対する命令に変換し、その命令に応じて制御されるようになされている。
【００１５】
具体的に、テレビジョン受像機１のマイクロホン（これをマイクとも呼ぶ）３は、ユーザの声を検出すると、その声をマイク音声信号ＭＳとして、声情報解析部４に送出する。
【００１６】
声情報解析部４は、マイコン２の制御のもと、マイク３より送出されたマイク音声信号ＭＳを解析して、ユーザからの命令に変換する。
【００１７】
マイク音声信号ＭＳをユーザからの命令に変換するには、公知の音声認識技術を利用することができる。例えば、声情報解析部４は、マイク音声信号ＭＳを解析して音響的な特徴を抽出し、平均的な発音データを基に作られた音響モデル（例えば隠れマルコフモデル）や、単語の出現確率及び接続確率等を基に作られた言語モデルと照合することにより、文章を認識する。そして、声情報解析部４は、マイク音声信号ＭＳより認識した文章を、予め記録されているテレビジョン受像機１に対する命令と照合することにより、ユーザからの命令に変換する。テレビジョン受像機１に対する命令としては、例えば、「３チャンネルにする」、「ビデオを再生する」、「音量を５上げる」等が用いられる。
【００１８】
そして、声情報解析部４は、変換した命令を操作信号ＨＳとしてマイコン２に送出する。マイコン２は、声情報解析部４より送出された操作信号ＨＳに応じて、各部の動作を制御する。
【００１９】
このように、テレビジョン受像機１は、ユーザから発せられた声による命令に応じて、各部の動作を制御するようになされている。
【００２０】
さらに、このテレビジョン受像機１は、デジタル放送及びアナログ放送の受信再生機能を有している。
【００２１】
具体的に、アンテナ（図示せず）を介して受信されたデジタル放送信号ＤＴ又はアナログ放送信号ＡＴが、マイコン２の制御のもと、チューナ部５に送出される。チューナ部５は、マイコン２の制御のもと、デジタル放送信号ＤＴ又はアナログ放送信号ＡＴから所定のチャンネル（例えばマイク３を介してユーザから指定されたチャンネル）の放送信号を抽出する。そして、チューナ部５は、この抽出した放送信号に対してデコード等の処理を施して、番組映像信号ＴＶ及び番組音声信号ＴＡを得て、これらの信号を信号制御部６に送出する。
【００２２】
信号制御部６は、マイコン２の制御のもと、このテレビジョン受像機１に入力される様々な信号から、所定の信号（例えばマイク３を介してユーザから再生を指示された信号）を選択するようになされている。ここで、信号制御部６は、チューナ部５から送出された番組映像信号ＴＶ及び番組音声信号ＴＡを選択すると、番組映像信号ＴＶを映像処理部７に送出し、番組音声信号ＴＡを音声処理部８に送出する。
【００２３】
映像処理部７は、マイコン２の制御のもと、信号処理部６から送出された番組映像信号ＴＶから、当該信号に基づく映像の画質に関する情報（これを画質情報とも呼ぶ）を抽出する。画質情報とは、例えば、映像の画素サイズ、各画素における輝度情報、色情報、ノイズ情報等である。
【００２４】
そして、映像処理部７は、抽出した画質情報に基づいて、番組映像信号ＴＶに対して、当該信号に基づく映像を所定の画質（例えば、予め設定された画質）に補正する等の映像加工処理を施して、加工映像信号ＰＶＳを生成する。画質を補正する処理としては、例えば、鮮鋭度補正処理、輝度補正処理、色温度補正処理、先鋭度補正処理、解像度補正処理、ノイズ除去処理等がある。そして、映像処理部７は、加工映像信号ＰＶＳを映像表示処理部９に送出する。
【００２５】
映像表示処理部９は、マイコン２の制御のもと、映像処理部７から送出された加工映像信号ＰＶＳに対して、所定の映像表示処理を施して、表示映像信号ＯＶＳを生成し、この信号をディスプレイ１０に送出する。この結果、ディスプレイ１０に表示映像信号ＯＶＳに基づく映像、すなわち番組映像が表示される。
【００２６】
また、音声処理部８は、マイコン２の制御のもと、信号制御部６から送出された番組音声信号ＴＡに対して、当該信号に基づく音声を所定の音質（例えば、予め設定された音質）に補正する等の音声加工処理を施して、加工音声信号ＰＡＳを生成する。そして、音声処理部８は、加工音声信号ＰＡＳを音声出力処理部１１に送出する。
【００２７】
音声出力処理部１１は、マイコン２の制御のもと、音声処理部８から送出された加工音声信号ＰＡＳに対して、所定の音声出力処理を施して、出力音声信号ＯＡＳを生成し、この信号をスピーカ１２に送出する。この結果、スピーカ１２から出力音声信号ＯＡＳに基づく音声、すなわち番組音声が出力される。
【００２８】
このようにして、テレビジョン受像機１は、デジタル放送又はアナログ放送を受信して、その番組映像及び番組音声を再生するようになされている。
【００２９】
さらに、このテレビジョン受像機１は、パーソナルコンピュータ（これをＰＣとも呼ぶ、図示せず）と接続されることにより、ＰＣから入力される映像や音声を再生する機能を有している。
【００３０】
具体的に、テレビジョン受像機１は、ＰＣビデオ入力端子（図示せず）及びＰＣオーディオ入力端子（図示せず）を介してＰＣと接続される。そして、接続されたＰＣから、ＰＣビデオ入力端子を介して、ＰＣ映像信号ＰＣＶが信号制御部６に入力される。また、接続されたＰＣから、ＰＣオーディオ入力端子を介して、ＰＣ音声信号ＰＣＡが信号制御部６に入力される。
【００３１】
ここで、信号制御部６は、マイコン２の制御のもと、ＰＣ映像信号ＰＣＶ及びＰＣ音声信号ＰＣＡを選択すると、ＰＣ映像信号ＰＣＶを映像処理部７に送出し、ＰＣ音声信号ＰＣＡを音声処理部８に送出する。
【００３２】
映像処理部７は、マイコン２の制御のもと、信号制御部６から送出されたＰＣ映像信号ＰＣＶに対して所定の画質に補正する等の映像加工処理を施して、加工映像信号ＰＶＳを生成する。そして、映像処理部７は、加工映像信号ＰＶＳを映像表示処理部９に送出する。
【００３３】
映像表示処理部９は、マイコン２の制御のもと、映像処理部７から送出された加工映像信号ＰＶＳに対して、所定の映像表示処理を施して表示映像信号ＯＶＳを生成し、この信号をディスプレイ１０に送出する。この結果、ディスプレイ１０に表示映像信号ＯＶＳに基づく映像、すなわちＰＣから入力された映像が表示される。
【００３４】
また、音声処理部８は、マイコン２の制御のもと、信号制御部６から送出されたＰＣ音声信号ＰＣＡに対して所定の音質に補正する等の音声加工処理を施して、加工音声信号ＰＡＳを生成する。そして、音声処理部８は、加工音声信号ＰＡＳを音声出力処理部１１に送出する。
【００３５】
音声出力処理部１１は、マイコン２の制御のもと、音声処理部８から送出された加工音声信号ＰＡＳに対して所定の音声出力処理を施して出力音声信号ＯＡＳを生成し、この信号をスピーカ１２に送出する。この結果、スピーカ１２から出力音声信号ＯＡＳに基づく音声、すなわちＰＣから入力された音声が出力される。
【００３６】
このようにして、テレビジョン受像機１は、接続されたＰＣから入力された映像や音声を再生するようになされている。
【００３７】
さらに、このテレビジョン受像機１は、ＤＶＤ（Digital Versatile Disc）再生装置（図示せず）と接続されることにより、ＤＶＤ再生装置から入力される映像や音声を再生する機能を有している。
【００３８】
具体的に、テレビジョン受像機１は、コンポーネントビデオ入力端子（図示せず）及びコンポーネントビデオ入力に対応するオーディオ入力端子（これをコンポーネントオーディオ入力端子とも呼ぶ、図示せず）を介して、ＤＶＤ再生装置と接続される。そして、接続されたＤＶＤ再生装置から、コンポーネントビデオ入力端子を介して、コンポーネント映像信号ＣＮＶが信号制御部６に入力される。また、接続されたＤＶＤ再生装置から、コンポーネントオーディオ入力端子を介して、コンポーネント映像信号ＣＮＶに対応する音声信号（これをコンポーネント音声信号とも呼ぶ）ＣＮＡが信号制御部６に入力される。
【００３９】
ここで、信号制御部６は、マイコン２の制御のもと、コンポーネント映像信号ＣＮＶ及びコンポーネント音声信号ＣＮＡを選択すると、コンポーネント映像信号ＣＮＶを映像処理部７に送出し、コンポーネント音声信号ＣＮＡを音声処理部８に送出する。
【００４０】
映像処理部７は、マイコン２の制御のもと、信号制御部６から送出されたコンポーネント映像信号ＣＮＶに対して所定の画質に補正する等の映像加工処理を施して、加工映像信号ＰＶＳを生成する。そして、映像処理部７は、加工映像信号ＰＶＳを映像表示処理部９に送出する。
【００４１】
映像表示処理部９は、マイコン２の制御のもと、映像処理部７から送出された加工映像信号ＰＶＳに対して所定の映像表示処理を施して表示映像信号ＯＶＳを生成し、この信号をディスプレイ１０に送出する。この結果、ディスプレイ１０に表示映像信号ＯＶＳに基づく映像、すなわちＤＶＤ再生装置から入力された映像が表示される。
【００４２】
また、音声処理部８は、マイコン２の制御のもと、信号制御部６から送出されたコンポーネント音声信号ＣＮＡに対して所定の音質に調整する等の音声加工処理を施して、加工音声信号ＰＡＳを生成する。そして、音声処理部８は、加工音声信号ＰＡＳを音声出力処理部１１に送出する。
【００４３】
音声出力処理部１１は、マイコン２の制御のもと、音声処理部８から送出された加工音声信号ＰＡＳに対して所定の音声出力処理を施して出力音声信号ＯＡＳを生成し、この信号をスピーカ１２に送出する。この結果、スピーカ１２から出力音声信号ＯＡＳに基づく音声、すなわちＤＶＤ再生装置から入力された音声が出力される。
【００４４】
このようにして、テレビジョン受像機１は、接続されたＤＶＤ再生装置から入力された映像や音声を再生するようになされている。
【００４５】
さらに、このテレビジョン受像機１は、ビデオテープ再生装置（図示せず）と接続されることにより、ビデオテープ再生装置から入力される映像や音声を再生する機能を有している。
【００４６】
具体的に、テレビジョン受像機１は、コンポジットビデオ入力端子（図示せず）及びコンポジットビデオ入力に対応するオーディオ入力端子（これをコンポジットオーディオ入力端子とも呼ぶ、図示せず）を介して、ビデオテープ再生装置と接続される。そして、接続されたビデオテープ再生装置から、コンポジットビデオ入力端子を介して、コンポジット映像信号ＣＳＶが信号制御部６に入力される。また、接続されたビデオテープ再生装置から、コンポジットオーディオ入力端子を介して、コンポジット映像信号ＣＳＶに対応する音声信号（これをコンポジット音声信号とも呼ぶ）ＣＳＡが信号制御部６に入力される。
【００４７】
ここで、信号制御部６は、マイコン２の制御のもと、コンポジット映像信号ＣＳＶ及びコンポジット音声信号ＣＳＡを選択すると、コンポジット映像信号ＣＳＶを映像処理部７に送出し、コンポジット音声信号ＣＳＡを音声処理部８に送出する。
【００４８】
映像処理部７は、マイコン２の制御のもと、信号制御部６から送出されたコンポジット映像信号ＣＳＶに対して所定の画質に補正する等の映像加工処理を施して、加工映像信号ＰＶＳを生成する。そして、映像処理部７は、加工映像信号ＰＶＳを映像表示処理部９に送出する。
【００４９】
映像表示処理部９は、マイコン２の制御のもと、映像処理部７から送出された加工映像信号ＰＶＳに対して所定の映像表示処理を施して表示映像信号ＯＶＳを生成し、この信号をディスプレイ１０に送出する。この結果、ディスプレイ１０に表示映像信号ＯＶＳに基づく映像、すなわちビデオテープ再生装置から入力された映像が表示される。
【００５０】
また、音声処理部８は、マイコン２の制御のもと、信号制御部６から送出されたコンポジット音声信号ＣＳＡに対して所定の音質に補正する等の音声加工処理を施して、加工音声信号ＰＡＳを生成する。そして、音声処理部８は、加工音声信号ＰＡＳを音声出力処理部１１に送出する。
【００５１】
音声出力処理部１１は、マイコン２の制御のもと、音声処理部８から送出された加工音声信号ＰＡＳに対して所定の音声出力処理を施して出力音声信号ＯＡＳを生成し、この信号をスピーカ１２に送出する。この結果、スピーカ１２から出力音声信号ＯＡＳに基づく音声、すなわちビデオテープ再生装置から入力された音声が出力される。
【００５２】
このようにして、テレビジョン受像機１は、接続されたビデオテープ再生装置から入力された映像や音声を再生するようになされている。
【００５３】
さらに、このテレビジョン受像機１は、ＵＳＢ（Universal Serial Bus）機器（例えばデジタルスチルカメラやデジタルビデオカメラ等、図示せず）と接続されることにより、ＵＳＢ機器から入力される映像や音声を再生する機能を有している。
【００５４】
具体的に、テレビジョン受像機１は、ＵＳＢ端子（図示せず）を介して、ＵＳＢ機器と接続される。そして、接続されたＵＳＢ機器から、ＵＳＢ端子を介して、このＵＳＢ機器に記録されたデータＵＤがデコーダ部１３に入力される。このデータＵＤは、例えば、ＪＰＥＧ（Joint Photographic Experts Group）方式やＭＰＥＧ（Moving Picture Experts
Group）方式等で圧縮されたデータである。デコーダ部１３は、入力されたデータＵＤに対してデコード等の処理を施して、ＵＳＢ映像信号ＵＶ及びＵＳＢ音声信号ＵＡを得て、これらの信号を信号制御部６に送出する。
【００５５】
ここで、信号制御部６は、マイコン２の制御のもと、ＵＳＢ映像信号ＵＶ及びＵＳＢ音声信号ＵＡを選択すると、ＵＳＢ映像信号ＵＶを映像処理部７に送出し、ＵＳＢ音声信号ＵＡを音声処理部８に送出する。
【００５６】
映像処理部７は、マイコン２の制御のもと、信号制御部６から送出されたＵＳＢ映像信号ＵＶに対して所定の画質に補正する等の映像加工処理を施して、加工映像信号ＰＶＳを生成する。そして、映像処理部７は、加工映像信号ＰＶＳを映像表示処理部９に送出する。
【００５７】
映像表示処理部９は、マイコン２の制御のもと、映像処理部７から送出された加工映像信号ＰＶＳに対して所定の映像表示処理を施して表示映像信号ＯＶＳを生成し、この信号をディスプレイ１０に送出する。この結果、ディスプレイ１０に表示映像信号ＯＶＳに基づく映像、すなわちＵＳＢ機器から入力された映像が表示される。
【００５８】
また、音声処理部８は、マイコン２の制御のもと、信号制御部６から送出されたＵＳＢ音声信号ＵＡに対して所定の音質に補正する等の音声加工処理を施して、加工音声信号ＰＡＳを生成する。そして、音声処理部８は、加工音声信号ＰＡＳを音声出力処理部１１に送出する。
【００５９】
音声出力処理部１１は、マイコン２の制御のもと、音声処理部８から送出された加工音声信号ＰＡＳに対して所定の音声出力処理を施して出力音声信号ＯＡＳを生成し、この信号をスピーカ１２に送出する。この結果、スピーカ１２から出力音声信号ＯＡＳに基づく音声、すなわちＵＳＢ機器から入力された音声が出力される。
【００６０】
このようにして、テレビジョン受像機１は、接続されたＵＳＢ機器から入力された映像や音声を再生するようになされている。
【００６１】
［１−２．画質設定］
さらに、このテレビジョン受像機１は、マイク３を介してユーザの声を検出すると、この声を解析してユーザの年齢層及び性別を判別し、判別した年齢層及び性別でなるユーザの好みに合った画質設定を行う機能を有している。以下、この画質設定機能について説明する。
【００６２】
まず、図２を用いてユーザの年齢層及び性別を判別する処理について説明する。マイク３は、ユーザの声を検出すると、その声をマイク音声信号ＭＳとして声情報解析部４に送出する。
【００６３】
声情報解析部４は、上述したように、マイク３より送出されたマイク音声信号ＭＳを解析して、ユーザからの命令に変換し、変換した命令を操作信号ＨＳとしてマイコン２に送出する。マイコン２は、声情報解析部４より送出された操作信号ＨＳに応じて、各部の動作を制御する。
【００６４】
また、声情報解析部４は、このときマイク３より送出されたマイク音声信号ＭＳを解析して、当該ユーザの年齢層及び性別を判別する。
【００６５】
具体的に、声情報解析部４は、マイク３よりマイク音声信号ＭＳが送出されると、そのマイク音声信号ＭＳに対して、例えば周波数解析や発話速度解析等の解析を行う。そして、声情報解析部４は、当該解析結果から、例えば周波数や発話速度等、人間の声の音響的特徴を示す情報（これを声情報とも呼ぶ）を検出する。
【００６６】
声情報解析部４内の内蔵メモリ（図示せず）には、予め年齢層及び性別ごとに声情報が登録されている声情報データベースが構築されている。声情報データベースには、様々な年齢層（例えば、１０代、２０代、３０代等）及び性別（女性、男性）のユーザが発した声の声情報より統計的に得られた年齢層及び性別ごとの平均的な声情報が登録されている。
【００６７】
声情報解析部４は、マイク音声信号ＭＳから声情報を検出すると、検出した声情報と声情報データベースに登録されている声情報とを比較し、検出した声情報と最も類似する声情報を声情報データベースから検索する。そして、声情報解析部４は、当該検索の結果得られた声情報に対応する年齢層及び性別を、このときマイク３で検出した声を発したユーザの年齢層及び性別であるとして判別する。
【００６８】
このように、テレビジョン受像機１は、命令入力として発せられたユーザの声を検出すると、その声を解析してユーザからの命令に変換しその命令に応じて各部を制御すると共に、その声から声情報を検出し、その声情報を用いてユーザの年齢層及び性別を判別する。
【００６９】
そして、声情報解析部４は、判別したユーザの年齢層を表す年齢層パラメータと判別したユーザの性別を表す性別パラメータとを用いてユーザ特徴情報ＵＩを生成し、これをマイコン２に送出する。
【００７０】
因みに、年齢層においては、例えば、１０代以下は「１」、２０代は「２」、３０代は「３」、４０代は「４」、５０代は「５」、６０代は「６」、７０代以上は「７」という年齢層パラメータで表される。また、性別においては、例えば、女性は「０」、男性は「１」という性別パラメータで表される。
【００７１】
したがって、声情報解析部４は、例えば、判別したユーザの年齢層が２０代である場合は年齢層パラメータを「２」とし、判別したユーザの性別が女性である場合は性別パラメータを「０」とする。そして、声情報解析部４は、年齢層パラメータ「２」、性別パラメータ「０」という情報をユーザ特徴情報ＵＩとして、これをマイコン２に送出する。
【００７２】
マイコン２は、声情報解析部４からユーザ特徴情報ＵＩが入力されると、このユーザ特徴情報ＵＩが示す年齢層及び性別、すなわち声情報解析部４で判別した年齢層及び性別でなるユーザの好みに合った画質設定の設定値を取得する。
【００７３】
マイコン２内の内蔵メモリには、予め年齢層及び性別ごとにそれぞれの年齢層及び性別でなるユーザの好みに合った画質設定の設定値が登録されている設定値データベースが構築されている。
【００７４】
この設定値データベースに登録された画質設定の設定値は、例えば、統計的に得られたものである。すなわち、例えば、様々な年齢層及び性別ごとのユーザの好みに合った画質設定の設定値を調査した結果に基づいて、年齢層及び性別ごとの平均的なユーザの好みに合った画質設定の設定値として推測されたものである。
【００７５】
ここで、様々な年齢層及び性別ごとのユーザの好みに合った画質設定の設定値を調査し、その調査結果に基づいて年齢層及び性別ごとの平均的なユーザの好みに合った画質設定の設定値を推測する方法について説明する。
【００７６】
まず、ユーザの好みに合った画質設定を調査する方法としては、例えば、多数のユーザに対して、どのような画質設定で普段テレビジョン受像機を使用しているかについてのアンケートを行うという方法がある。アンケートの対象は、テレビジョン受像機１と同種のテレビジョン受像機を所有しているユーザとする。
【００７７】
このようなアンケートを行う方法としては、例えばインターネットに接続させたテレビジョン受像機を用いて行う方法がある。まず、ユーザに、そのユーザが所有するテレビジョン受像機をインターネットに接続させる。そして、ユーザに、テレビジョン受像機に対してユーザの年齢及び性別を入力させ、普段テレビジョン受像機を使用している際の画質設定の設定値を指定させる。そして、入力させたユーザの年齢層及び性別と指定させた画質設定の設定値とを、ユーザが所有するテレビジョン受像機からインターネットを介して取得することによって、アンケートの回答を取得する。このような方法で、インターネットに接続させたテレビジョン受像機を用いて、画質設定についてのアンケートを行う。
【００７８】
上述した方法でアンケートを行った結果得られた回答の例を図３に示す。このアンケートでは、ユーザの年齢及び性別と、画質設定の設定値として、鮮鋭度、輝度、色温度の設定値とを調査している。ここで、鮮鋭度においては、通常設定される鮮鋭度の設定値を基準値１としており、１より大きい数値であればそれよりも鮮やかな画像となり、１より小さい数値であればそれよりも鮮やかではない画像となる。また、輝度においては、テレビジョン受像機１で設定できる輝度の設定値を０〜１００の設定値で示しており、０の場合が最も暗い画像となり、１００の場合が最も明るい画像となる。さらに、色温度においては、絶対温度（Ｋ）を用いて色温度の設定値を示しており、色温度が低いほど赤みがかった画像となり、色温度が高いほど青みがかった画像となる。
【００７９】
そして、このアンケートの回答を集計した結果の例を図４に示す。ここでは、得られたアンケートの回答から、年齢層及び性別ごとに、鮮鋭度、輝度、色温度の設定値の平均値を算出している。このように年齢層及び性別ごとに算出された鮮鋭度、輝度、色温度の設定値の平均値を、年齢層及び性別ごとの平均的なユーザの好みに合った画質設定の設定値であると推測する。
【００８０】
このような方法により、様々な年齢層及び性別ごとのユーザによって指定されている画質設定の設定値を調査し、その調査結果を統計して年齢層及び性別ごとの平均的なユーザの好みに合った画質設定の設定値を取得する。
【００８１】
そして、上述した方法により統計的に得られた年齢層及び性別ごとのユーザの好みに合った画質設定の設定値が、年齢層及び性別ごとに設定値データベースに登録される。この設定値データベースの構成を図５に示す。設定値データベースには、年齢層及び性別ごとに、鮮鋭度、輝度、色温度の設定値が登録される。また、年齢層及び性別は、声情報解析部４で用いる年齢層パラメータ及び性別パラメータとして登録される。
【００８２】
マイコン２は、このような設定値データベースから、声情報解析部４から送出されたユーザ特徴情報ＵＩが示す年齢層パラメータ及び性別パラメータに対応する鮮鋭度、輝度、色温度の設定値を取得する。そして、マイコン２は、これらの設定値を、声情報解析部４で判別した年齢層及び性別でなるユーザの好みに合った画質設定の設定値であるとする。
【００８３】
例えば、声情報解析部４から入力されたユーザ特徴情報ＵＩが、年齢層パラメータ「２」、性別パラメータ「０」という情報であったとする。すると、マイコン２は、図５に示す設定値データベースからこれらのパラメータに対応する鮮鋭度「０．８０」、輝度「４８．８」、色温度「５６２１」という設定値を取得する。すなわち、マイコン２は、これらの設定値を、年齢層が２０代であり性別が女性であるユーザの好みに合った鮮鋭度、輝度、色温度の設定値であるとする。
【００８４】
このように、テレビジョン受像機１は、予め設定値データベースから取得した判別した年齢層及び性別に対応する設定値に基づいて、判別した年齢層及び性別でなるユーザの好みに合った画質設定の設定値を決定する。
【００８５】
そして、マイコン２は、設定値データベースから取得した設定値に基づいて画質設定を行うよう映像処理部７を制御する制御信号ＧＳを生成し、この制御信号ＧＳを映像処理部７に送出する。
【００８６】
ここで、テレビジョン受像機１が例えばデジタル放送を受信して再生しているとすると、映像処理部７には信号制御部６から番組映像信号ＴＶが送出される。このとき、映像処理部７は、番組映像信号ＴＶに対して、マイコン２から入力された制御信号ＧＳに応じて、番組映像信号ＴＶに基づく映像の画質を補正する処理を施す。すなわち、映像処理部７は、番組映像信号ＴＶに対して、ユーザの好みに合った画質設定の設定値に基づいて、番組映像信号ＴＶに基づく映像の画質を補正する処理を施す。そして、映像処理部７は、この処理の結果、加工映像信号ＰＶＳを生成し、これを映像出力部８に送出する。
【００８７】
映像出力部８は、映像処理部７から入力された加工映像信号ＰＶＳに対して所定の映像表示処理を施して表示映像信号ＯＶＳを生成し、この信号をディスプレイ１０に送出する。この結果、ディスプレイ１０に表示映像信号ＯＶＳに基づく映像、すなわち、ユーザの好みに合った画質に設定されたデジタル放送の番組映像が表示される。
【００８８】
このように、テレビジョン受像機１は、判別した年齢層及び性別でなるユーザの好みに合った画質設定の設定値に基づいて画質設定を行い、ユーザの好みに合った画質に設定された映像をユーザに提供する。
【００８９】
ここまで説明したように、テレビジョン受像機１は、ユーザの声を検出すると、この声を解析して声情報を検出し、検出した声情報と最も類似する声情報を声情報データベースから検索する。そして、テレビジョン受像機１は、当該検索の結果得られた声情報に対応する年齢層及び性別をユーザの年齢層及び性別であるとして判別する。そして、テレビジョン受像機１は、判別した年齢層及び性別でなるユーザの好みに合った画質設定の設定値を設定値データベースから取得し、その設定値に基づいて画質設定を行うようにした。
【００９０】
こうすることにより、テレビジョン受像機１は、予め声を登録して画質設定の設定値を指定しておくというような煩雑な作業をユーザに行わせることなく、ユーザの好みに合った画質設定を行うことができる。
【００９１】
また、テレビジョン受像機１は、命令入力のために発せられたユーザの声を検出すると、その声を解析して得られた命令に応じて各部を制御するだけでなく、その声から声情報を検出しその声情報を用いてユーザの年齢層及び性別を判別するようにした。
【００９２】
こうすることにより、テレビジョン受像機１は、ユーザに、ユーザの年齢層及び性別を判別するためだけに発声させなくても、命令入力のために発せられた声を利用して、ユーザの年齢層及び性別を判別することができる。かくして、テレビジョン受像機１は、ユーザに、わざわざユーザの年齢層及び性別を判別するためだけに発声させることなく、自動的に、ユーザの好みに合った画質設定を行うことができる。
【００９３】
［１−３．画質設定処理手順］
次に、テレビジョン受像機１が、ユーザの好みに合った画質設定を行う処理の手順（これを、画質設定処理手順ＲＴ１とも呼ぶ）を図６のシーケンスチャートを用いて説明する。この画質設定処理手順ＲＴ１は、マイコン２内の内蔵メモリから読み出したプログラムに従って、マイコン２、マイク３、声情報解析部４、映像処理部７が協働して実行する処理の手順である。
【００９４】
マイク３は、ユーザの声を検出すると、画質設定処理手順ＲＴ１を開始すると共にステップＳＰ１に移る。
【００９５】
ステップＳＰ１において、マイク３は、検出したユーザの声をマイク音声信号ＭＳとして声情報解析部４に送出する。
【００９６】
ステップＳＰ１が完了すると、ステップＳＰ２において、声情報解析部４は、マイク３より送出されたマイク音声信号ＭＳを解析し、当該解析結果から声情報を検出して、ステップＳＰ３に移る。
【００９７】
ステップＳＰ３において、声情報解析部４は、ステップＳＰ２において検出した声情報と最も類似する声情報を声情報データベースから検索する。そして、声情報解析部４は、当該検索の結果得られた声情報に対応する年齢層及び性別を、このときマイク３で検出した声を発したユーザの年齢層及び性別であるとして判別して、ステップＳＰ４に移る。
【００９８】
ステップＳＰ４において、声情報解析部４は、ステップＳＰ３において判別したユーザの年齢層及び性別を用いてユーザ特徴情報ＵＩを生成し、マイコン２に送出する。
【００９９】
ステップＳＰ４が完了すると、ステップＳＰ５において、マイコン２は、ユーザ特徴情報ＵＩが示す年齢層及び性別に対応する画質設定の設定値を設定値データベースから取得して、ステップＳＰ６に移る。このとき、マイコン２は、この設定値を、声情報解析部４で判別された年齢層及び性別でなるユーザの好みに合った画質設定の設定値として取得する。
【０１００】
ステップＳＰ６において、マイコン２は、ステップＳＰ５において取得した設定値に基づいて画質設定を行うように映像処理部７を制御する制御信号ＧＳを生成し、この制御信号ＧＳを映像処理部７に送出する。
【０１０１】
ステップＳＰ６が完了すると、ステップＳＰ７において、映像処理部７は、信号制御部６から送出される映像信号（例えば、番組映像信号ＴＶ）に対して、マイコン２から送出された制御信号ＧＳに応じて、映像の画質を補正する処理を施す。すなわち、映像処理部７は、声情報解析部４で判別された年齢層及び性別でなるユーザの好みに合った画質設定の設定値に基づいて画質設定を行う。
【０１０２】
この結果、テレビジョン受像機１は、判別した年齢層及び性別でなるユーザの好みに合った画質に設定された映像をディスプレイ１０に表示させる。
【０１０３】
このような画質設定処理手順ＲＴ１に従って、テレビジョン受像機１は、検出したユーザの声を用いてユーザの年齢層及び性別を判別し、判別した年齢層及び性別でなるユーザの好みに合った画質設定を行うようになされている。
【０１０４】
［１−４．動作及び効果］
以上の構成において、テレビジョン受像機１は、命令入力のために発せられたユーザの声を検出すると、その声を解析してユーザからの命令に変換し、その命令に応じて各部を制御する。また、テレビジョン受像機１は、このとき検出したユーザの声から年齢層及び性別といったユーザの特徴を判別するための声情報を検出する。
【０１０５】
そして、テレビジョン受像機１は、検出した声情報と最も類似する声情報を、予め声情報データベースに年齢層及び性別などの特徴ごとに登録されている声情報から検索する。そして、テレビジョン受像機１は、当該検索の結果得られた声情報に対応する特徴を、検出した声を発したユーザの特徴であると判別する。
【０１０６】
そして、テレビジョン受像機１は、判別したユーザの特徴に対応する設定値を、予め年齢層及び性別などの特徴ごとにそれぞれの特徴を有するユーザの好みに合った画質設定の設定値が登録されている設定値データベースから取得する。テレビジョン受像機１は、この設定値を、声情報解析部４で判別した年齢層及び性別のユーザの好みに合った画質設定の設定値であるとする。
【０１０７】
そして、テレビジョン受像機１は、各部を制御し、取得した設定値に基づいてディスプレイ１０に表示させる映像の画質設定を行う。
【０１０８】
この結果、テレビジョン受像機１は、判別した特徴を有するユーザの好みに合った画質に設定された映像をディスプレイ１０に表示させる。
【０１０９】
こうすることにより、テレビジョン受像機１は、予め声を登録して画質設定の設定値を指定しておくというような煩雑な作業をユーザに行わせることなく、ユーザの好みに合った画質設定を行うことができる。
【０１１０】
また、テレビジョン受像機１は、命令入力のために発せられたユーザの声を検出すると、その声を解析して得られた命令に応じて各部を制御するだけでなく、その声から声情報を検出しその声情報を用いてユーザの年齢層及び性別を判別するようにした。
【０１１１】
こうすることにより、テレビジョン受像機１は、ユーザに、ユーザの年齢層及び性別を判別するためだけに発声させなくても、命令入力のために発せられた声を利用して、ユーザの年齢層及び性別を判別することができる。かくして、テレビジョン受像機１は、ユーザに、わざわざユーザの年齢層及び性別を判別するためだけに発声させることなく、自動的に、ユーザの好みに合った画質設定を行うことができる。
【０１１２】
以上の構成によれば、テレビジョン受像機１は、ユーザの声を検出して声情報を検出し、検出した声情報と最も類似する声情報を、予め声情報データベースに様々な特徴ごとに登録されている声情報から検索する。そして、テレビジョン受像機１は、当該検索の結果得られた声情報に対応する特徴を当該ユーザの特徴であるとして判別する。そして、テレビジョン受像機１は、予め設定値データベースに様々な特徴ごとに登録されている当該特徴を有するユーザの好みに合った画質設定の設定値に基づいて、判別された特徴を有するユーザの好みに合った画質設定の設定値を決定する。そして、テレビジョン受像機１は、決定した設定値に基づいて画質設定を行うようにした。
【０１１３】
こうすることにより、テレビジョン受像機１は、予め声を登録して画質設定の設定値を指定しておくというような煩雑な作業をユーザに行わせることなく、ユーザの好みに合った画質設定を行うことができる。かくして、テレビジョン受像機１は、容易に、ユーザの好みに合った画質設定を行うことができる。
【０１１４】
＜２．他の実施の形態＞
［２−１．他の実施の形態１］
尚、上述した実施の形態では、テレビジョン受像機１は、検出したユーザの声より判別した特徴を有するユーザの好みに合った画質設定を行うようにした。
【０１１５】
これに限らず、テレビジョン受像機１は、検出したユーザの声より判別した特徴を有するユーザの好みに合った種々の機能設定（例えば、音質設定など）を行うようにしてもよい。
【０１１６】
例えば、テレビジョン受像機１は、検出したユーザの声より判別した特徴を有するユーザの好みに合った音質設定を行うとする。
【０１１７】
具体的に、図１に示すように、マイク３は、ユーザの声を検出すると、その声をマイク音声信号ＭＳとして声情報解析部４に送出する。声情報解析部４は、このマイク音声信号ＭＳから声情報を検出しこの声情報を用いてユーザの特徴を判別する。そして、声情報解析部４は、判別したユーザの特徴に基づいてユーザ特徴情報ＵＩを生成し、マイコン２に送出する。
【０１１８】
このとき、マイコン２内の内蔵メモリに構築されている設定値データベースには、予め様々な特徴と、それぞれの特徴を有するユーザの好みに合った音質設定の設定値とが対応付けられて登録されている。尚、設定値データベースに登録される音質設定の設定値は、例えば統計的に得られたものである。
【０１１９】
マイコン２は、声情報解析部４からユーザ特徴情報ＵＩが送出されると、このユーザ特徴情報ＵＩが示すユーザの特徴に対応する音質設定の設定値を設定値データベースから取得する。マイコン２は、この設定値を、声情報解析部４で判別した特徴を有するユーザの好みに合った音質設定の設定値であるとする。
【０１２０】
そして、マイコン２は、取得した設定値に基づいて音質設定を行うように音声処理部８を制御する制御信号ＳＳを生成し、制御信号ＳＳを音声処理部８に送出する。
【０１２１】
ここで、テレビジョン受像機１が例えばデジタル放送を受信して再生しているとすると、音声処理部８には、信号制御部６から番組音声信号ＴＡが送出される。このとき、音声処理部８は、番組音声信号ＴＡに対して、マイコン２から入力された制御信号ＳＳに応じて、番組音声信号ＴＡに基づく音声の音質を補正する処理を施す。つまり、音声処理部８は、番組音声信号ＴＡに対して、ユーザの好みに合った音質設定の設定値に基づいて、番組音声信号ＴＡに基づく音声の音質を補正する処理を施す。そして、音声処理部８は、この処理の結果、加工音声信号ＰＡＳを生成し、これを音声出力処理部１１に送出する。
【０１２２】
音声出力処理部１１は、音声処理部８から入力された加工音声信号ＰＡＳに対して所定の音声出力処理を施して出力音声信号ＯＡＳを生成し、この信号をスピーカ１２に送出する。この結果、スピーカ１２に出力音声信号ＯＡＳに基づく音声、すなわち、ユーザの好みに合った音質に設定されたデジタル放送の番組音声が出力される。
【０１２３】
こうすることにより、テレビジョン受像機１は、予め声を登録して音質設定の設定値を指定しておくというような煩雑な作業を行わせることなく、ユーザの好みに合った音質設定を行うことができる。
【０１２４】
［２−２．他の実施の形態２］
また、上述した実施の形態では、テレビジョン受像機１は、検出したユーザの声よりユーザの年齢層及び性別を判別し、判別した年齢層及び性別でなるユーザの好みに合った画質設定を行うようにした。
【０１２５】
これに限らず、テレビジョン受像機１は、検出したユーザの声より、例えばユーザの感情、体調、性格など種々の特徴を判別し、判別した種々の特徴を有するユーザの好みに合った画質設定を行うようにしてもよい。
【０１２６】
例えば、テレビジョン受像機１は、検出したユーザの声より、ユーザの感情を判別し、判別した感情の時のユーザの好みに合った画質設定を行うとする。
【０１２７】
具体的に、マイク３はユーザの声を検出するとその声をマイク音声信号ＭＳとして声情報解析部４に送出し、声情報解析部４はそのマイク音声信号ＭＳから声情報を検出する。声情報解析部４内の内蔵メモリに構築されている声情報データベースには、予め感情（例えば、興奮している、落ち着いているなど）ごとの平均的な声情報が、種々の感情と対応付けられて登録されているとする。このとき、声情報解析部４は、検出した声情報と最も類似する声情報を声情報データベースから検索し、当該検索の結果得られた声情報に対応する感情を、その時のユーザの感情であると判別する。
【０１２８】
マイコン２内の内蔵メモリに構築されている設定値データベースには、予め様々な感情と、それぞれの感情の時のユーザの好みに合った画質設定の設定値とが対応付けられて登録されているとする。このとき、マイコン２は、声情報解析部４で判別した感情の時のユーザの好みに合った画質設定の設定値を設定値データベースから取得し、取得した設定値に基づいて画質設定を行う。このように、テレビジョン受像機１は、判別したユーザの感情に基づいて、ユーザの好みに合った画質設定を行う。
【０１２９】
同様にして、テレビジョン受像機１は、検出したユーザの声よりユーザの体調、性格など種々の特徴を判別して、判別した種々の特徴を有するユーザの好みに合った画質設定を行うようにしてもよい。
【０１３０】
［２−３．他の実施の形態３］
さらに、上述した実施の形態では、テレビジョン受像機１は、検出したユーザの声を解析して声情報を検出し、その声情報を用いてユーザの特徴を判別するようにした。
【０１３１】
これに限らず、テレビジョン受像機１は、ユーザの特徴を判別できる情報であれば、この他種々の情報をユーザから検出し、その情報を用いてユーザの特徴を判別するようにしてもよい。
【０１３２】
例えば、テレビジョン受像機１は、カメラなどを用いてユーザを撮影して得られたユーザの画像から、ユーザの年齢層及び性別を判別するようにしてもよい。この場合、テレビジョン受像機１には、例えば、ユーザを撮影するカメラ（図示せず）とユーザの画像から年齢層及び性別を判別する画像解析部（図示せず）とが設けられているとする。
【０１３３】
具体的に、画像解析部は、カメラによってユーザの顔を撮影して得られた画像から、目、鼻、口の位置など顔の特徴を示す顔情報を検出する。画像解析部内には、予め年齢層及び性別ごとの平均的な顔情報が年齢層及び性別と対応付けられて登録されている顔情報データベースが構築されている。そして、画像解析部は、検出した顔情報と最も類似する顔情報を顔情報データベースから検索し、当該検索の結果得られた顔情報に対応する年齢層及び性別をユーザの年齢層及び性別であると判別する。
【０１３４】
また、例えば、テレビジョン受像機１は、サーモカメラなどを用いてユーザの体温を検出して得られた体温情報からユーザの年齢層及び性別を判別するようにしてもよい。人間の体温は年齢や性別によって異なることが知られている。例えば、成人男性、成人女性、幼児の体温を比較した場合、一般的に成人男性の体温が最も低く、幼児の体温が最も高く、成人女性の体温が成人男性と幼児の中間の体温であるとされている。
【０１３５】
この場合、テレビジョン受像機１には、例えば、ユーザの体温を検出するサーモカメラ（図示せず）と体温情報から年齢層及び性別を判別する体温解析部（図示せず）とが設けられているとする。
【０１３６】
［２−４．他の実施の形態４］
さらに、上述した実施の形態では、テレビジョン受像機１は、検出したユーザの声より判別した特徴を有するユーザの好みに合った画質設定のうち、鮮鋭度、輝度、色温度の設定を行うようにした。
【０１３７】
これに限らず、テレビジョン受像機１は、検出したユーザの声より判別した特徴を有するユーザの好みに合った画質設定であれば、例えば、バックライトの輝度、コントラスト、先鋭度など、この他種々の画質設定を行うようにしてもよい。
【０１３８】
［２−５．他の実施の形態５］
さらに、上述した実施の形態では、テレビジョン受像機１は、アンケート調査などを行って統計的に得られた画質設定の設定値に基づいて、ユーザの好みに合った画質設定を行うようにした。
【０１３９】
これに限らず、テレビジョン受像機１は、一般的にユーザが好むと推測される画質設定の設定値に基づいて、ユーザの好みに合った画質設定を行うようにしてもよい。
【０１４０】
例えば、子供は、輝度に対して敏感な視覚特性を持つうえにアニメなどの平均的に輝度の高い映像をテレビジョン受像機の近くから視聴しがちであるため、輝度の低い映像を好むと推測される。従って、テレビジョン受像機１のマイコン２は、例えば年齢が１０歳以下であると判別した場合、輝度の設定値を低くして画質設定を行ってもよい。
【０１４１】
［２−６．他の実施の形態６］
さらに、上述した実施の形態では、テレビジョン受像機１は、検出したユーザの声より判別したユーザの年齢層及び性別に基づいて、ユーザの好みに合った画質設定を行うようにした。
【０１４２】
これに限らず、テレビジョン受像機１は、検出したユーザの声より判別したユーザの年齢層及び性別に加え、さらに例えば視聴履歴などの情報に基づいて、ユーザの好みに合った画質設定を行うようにしてもよい。
【０１４３】
具体的に、例えば、テレビジョン受像機１のマイコン２内の内蔵メモリには、視聴履歴を登録する視聴履歴データベースが構築されているとする。そして、マイコン２は、例えばユーザが５分以上同一の映像コンテンツを視聴したときに、当該映像のジャンル（例えば、スポーツや映画など）を視聴履歴データベースに登録するようになされている。
【０１４４】
テレビジョン受像機１において、マイク３を介してユーザの声を検出すると、声情報解析部４は、ユーザの声から声情報を検出し、この声情報を用いてユーザの特徴を判別する。そして、マイコン２は、声情報解析部４が判別した特徴を有するユーザの好みに合った画質設定の設定値を設定値データベースから取得する。
【０１４５】
さらに、マイコン２は、視聴履歴データベースから、最も多く登録されている映像のジャンル、すなわち最も多く視聴された映像のジャンルをユーザが好む映像のジャンルとして検出する。そして、マイコン２は、設定値データベースから取得した設定値と検出した映像のジャンルとに基づいて画質設定を行う。例えば、マイコン２は、検出した映像のジャンルが映画の場合、設定値データベースから取得した輝度の設定値を少し低くする等して調整し、調整した設定値に基づいて画質設定を行う。このように検出した映像のジャンルに応じて設定値を調整するための情報も、例えばマイコン２内の内蔵メモリに記憶されているとする。
【０１４６】
このように、テレビジョン受像機１は、判別した特徴を有するユーザの好みに合った画質設定の設定値を、視聴履歴から検出したユーザが好む映像に応じて調整することにより、一段とユーザの好みに合った画質設定を行うことができる。
【０１４７】
［２−７．他の実施の形態７］
さらに、上述した実施の形態では、テレビジョン受像機１は、設定値データベースから判別した特徴に対応する設定値を取得し、取得した設定値に基づいて、判別した特徴を有するユーザの好みに合った画質設定の設定値を決定するようにした。
【０１４８】
これに限らず、テレビジョン受像機１は、ユーザの特徴と当該特徴を有するユーザの好みに合った画質設定の設定値との関係を表す式により、判別した特徴を有するユーザの好みに合った画質設定の設定値を算出して決定するようにしてもよい。
【０１４９】
この場合、ユーザの特徴と当該特徴を有するユーザの好みに合った画質設定の設定値との関係を表す式を、例えばマイコン２内の内蔵メモリに記憶しておくようにする。
【０１５０】
また、この場合、ユーザの特徴と当該特徴を有するユーザの好みに合った画質設定の設定値との関係を表す式は、例えば、図４に示したアンケートの集計結果のような統計的に得られた画質設定の設定値より作成することが可能である。
【０１５１】
図７に、図４に示したアンケートの集計結果をもとに作成した男性における年齢と鮮鋭度の設定値との関係を表すグラフを示す。このグラフでは、横軸に年齢が示され、縦軸に鮮鋭度の設定値が示されている。このグラフによると、例えば、１０代から４０代にかけては、年齢が高くなるほど鮮鋭度を高く設定する傾向があり、４０代以降については年齢が高くなるほど鮮鋭度を低く設定する傾向があることがわかる。このことにより、アンケートによって設定値が得られなかった年齢についてもどのような鮮鋭度を好むかを予測することができる。したがって、このグラフに基づいて男性における年齢層と鮮鋭度の設定値との関係を表す式を作成することが可能である。
【０１５２】
［２−８．他の実施の形態８］
さらに上述した実施の形態では、ユーザの声による命令に応じて制御されるテレビジョン受像機１に本発明を適用するようにした。
【０１５３】
これに限らず、例えばリモートコントローラなどの操作に応じて制御されるテレビジョン受像機（図示せず）に本発明を適用するようにしてもよい。
【０１５４】
この場合、テレビジョン受像機は、例えば、リモートコントローラから送信される赤外線信号を受信する受光部（図示せず）が設けられている以外は、テレビジョン受像機１と同様の構成となっているとする。
【０１５５】
このようなテレビジョン受像機は、例えば、ユーザの年齢層及び性別を判別するためにユーザに発声してもらうよう、ディスプレイ１０などを用いてユーザに通知するようになされている。そして、当該テレビジョン受像機は、ユーザの年齢層及び性別を判別するために発せられた声をマイク３で検出すると、その声を用いて声情報解析部４でユーザの年齢層及び性別を判別する。
【０１５６】
［２−９．他の実施の形態９］
さらに上述した実施の形態では、画質設定処理手順ＲＴ１を実行するためのプログラムをマイコン２内の内蔵メモリに記憶しておくようにした。
【０１５７】
これに限らず、このプログラムをメモリカードやＤＶＤなどの所定の記憶媒体に記憶しておき、マイコン２がこのプログラムを記憶媒体から読み出して実行するようにしてもよい。この場合、テレビジョン受像機１には別途記憶媒体からプログラムを読み出し可能なメディアドライブが設けられているとする。
【０１５８】
また、このプログラムを、マイコン２がインターネット上の所定のサーバからダウンロードしてマイコン２内の内蔵メモリにインストールするようにしてもよい。この場合、テレビジョン受像機１には、インターネットに接続するためのネットワークインターフェースが設けられているとする。
【０１５９】
［２−１０．他の実施の形態１０］
さらに上述した実施の形態では、情報処理装置としてのテレビジョン受像機１に、特徴判別情報検出部としてのマイク３と、特徴判別情報検出部、特徴判別部、記憶部、制御部としての声情報解析部４とを設けるようにした。また、テレビジョン受像機１に、設定値決定部、機能設定部、記憶部、制御部としてのマイコン２と、機能設定部としての映像処理部７とを設けるようにした。
【０１６０】
これに限らず、同様の機能を有するのであれば、上述したテレビジョン受像機１の各機能部を、他の種々のハードウェア又はソフトウェアにより構成するようにしてもよい。
【０１６１】
また、これに限らず、同様の機能を有する情報処理装置であれば、例えばＰＣなどこの他種々の情報処理装置に本発明を適用するようにしてもよい。
【０１６２】
［２−１１．他の実施の形態１１］
さらに、本発明は、上述した実施の形態とここまで説明した他の実施の形態１乃至１０とに限定されるものではない。すなわち本発明は、上述した実施の形態とここまで説明した他の実施の形態１乃至１０の一部または全部を任意に組み合わせた形態、もしくは一部を抽出した形態も適用範囲とする。
【０１６３】
例えば、他の実施の形態４と５を組み合わせるようにしてもよい。例えば、一般的に、年齢が高くなるにつれ視力が落ち文字が読みにくくなるため、年齢が高いユーザほど、コントラストが高い映像を好むと予測される。従って、テレビジョン受像機１のマイコン２は、例えば、判別した年齢が４０代、５０代、６０代と高くなるにつれ、コントラストの設定値も高くなるように画質設定を行ってもよい。
【産業上の利用可能性】
【０１６４】
本発明は、例えば、画質設定や音質設定が可能なテレビジョン受像機で広く有効利用することができる。
【図面の簡単な説明】
【０１６５】
【図１】テレビジョン受像機の内部構成を示すブロック図である。
【図２】ユーザの年齢層及び性別を判別する処理の流れを示す略線図である。
【図３】アンケートの回答例を示す略線図である。
【図４】アンケートの集計結果例を示す略線図である。
【図５】設定値データベースの構成を示す略線図である。
【図６】画質設定処理手順を示すシーケンスチャートである。
【図７】年齢と鮮鋭度の設定値との関係を示す略線図である。
【符号の説明】
【０１６６】
１……テレビジョン受像機、２……マイコン、３……マイク、４……声情報解析部、７……映像処理部、１０……ディスプレイ、ＭＳ……マイク音声信号、ＨＳ……操作信号、ＵＩ……ユーザ特徴情報、ＧＳ、ＳＳ……制御信号。
【図１】
2010124391.tif 000003
【図２】
2010124391.tif 000004
【図３】
2010124391.tif 000005
【図４】
2010124391.tif 000006
【図５】
2010124391.tif 000007
【図６】
2010124391.tif 000008
【図７】
2010124391.tif 000009